(57)【特許請求の範囲】
【請求項１】
突起部と、背もたれ部と、座面部とを含む姿勢矯正装置であって、
前記突起部は、前記背もたれ部に配置され、前記座面部に着席する者の姿勢の変化に応じて前記着席者に突出端が接触するものであって、先細りとなっている、
姿勢矯正装置。
【発明の詳細な説明】
【技術分野】
【０００１】
本発明は、姿勢矯正装置に関する。
【背景技術】
【０００２】
近年、パーソナルコンピュータ（以下、ＰＣと略する）の普及と、それに伴うＰＣ作業の長時間化とにより、肩や背中などに生じる慢性的な有痛性痙縮（以下、肩こりと称する）が現代病として問題になっている。この肩こりの発症原因には諸説あるものの、一般には、椅子に腰かけるなど同じ姿勢をとり続ることにより、頭部や上肢を支える肩や背中周辺の筋肉が持続的に緊張して循環障害が起こり、蓄積した疲労物質が刺激となって発症すると考えられている。
【０００３】
これに対し、ＰＣ作業の長時間化を解消することは困難である。そこで、従来、発症した肩こりを軽減する観点から、例えば特許文献１乃至３に示すように、筋肉の緊張をほぐし、循環障害を解消させるため、種々の技術が提案され、実用に供されている。
【０００４】
特許文献１に開示されている技術は、椅子であって、指圧突起が、背もたれ部の複数箇所に設けられている孔に装着される。他方、特許文献２、及び、特許文献３に開示されている技術は、指圧具であって、椅子の背もたれ部に取り付けられることにより、指圧突起が、座面部に着席する者の背面を押圧できるようにされている。
【０００５】
ところで、肩こりの発症原因である循環障害は、人間工学的な観点からみた適切な姿勢、例えば背筋を伸ばした姿勢では生じにくく、猫背になるなど不適切な姿勢に移行したときに生じやすい。このような姿勢の悪化は、長時間のＰＣ作業を続けるうちに、無意識、且つ、無自覚に生じる。
【０００６】
特許文献１乃至３に開示されている技術は、いずれも指圧突起のマッサージ効果により発症した肩こりを軽減するものであり、上述した姿勢の悪化を防止すること、すなわち肩こりの発症それ自体を防止することはできない。
【先行技術文献】
【特許文献】
【０００７】
【特許文献１】特開２００１−０５７９２１号公報
【特許文献２】特開２００４−３２９６６６号公報
【特許文献３】特開２００８−１１３７９６号公報
【発明の概要】
【発明が解決しようとする課題】
【０００８】
本発明の課題は、肩こりの発症を防止しうる姿勢矯正装置を提供することである。
【課題を解決するための手段】
【０００９】
上述した課題を解決するため、本発明に係る姿勢矯正装置は、突起部と、背もたれ部と、座面部とを含む。突起部は、背もたれ部に配置され、座面部に着席する者の姿勢の変化に応じて着席者に突出端が接触する。
【００１０】
上述したように、本発明に係る姿勢矯正装置において、突起部は、背もたれ部に配置され、座面部に着席する着席者の姿勢の変化に応じて着席者に突出端が接触するから、着席者が座面部に腰かけて長時間のＰＣ作業を続けるうちに、人間工学的な観点からみた適切な姿勢、例えば背筋を伸ばした姿勢から、猫背になるなど不適切な姿勢に移行したとき、突起部が着席者の背中に接触し、着席者が自らの姿勢の悪化を知覚し、背筋を伸ばすなど姿勢をただす契機となる。従って、ＰＣ作業を長時間続ける場合であっても、適切な姿勢を維持することにより循環障害の発生が回避されるから、肩こりの発症を防止することができる。
【発明の効果】
【００１１】
以上述べたように、本発明によれば、肩こりの発症を防止しうる姿勢矯正装置を提供することができる。
【００１２】
本発明の他の目的、構成及び利点については、添付図面を参照し、更に詳しく説明する。添付図面は、単に、例示に過ぎない。
【図面の簡単な説明】
【００１３】
【図１】本発明の実施形態に係る姿勢矯正装置の正面図である。
【図２】図１の姿勢矯正装置の左側面図である。
【図３】図１乃至図２の姿勢矯正装置の使用状態を示す左側面図である。
【図４】図１乃至図２の姿勢矯正装置の使用状態を示す左側面図である。
【図５】本発明のもう一つの実施形態に係る姿勢矯正装置の正面図である。
【図６】図５の姿勢矯正装置の左側面図である。
【図７】本発明のもう一つの実施形態に係る姿勢矯正装置の正面図である。
【図８】図７の姿勢矯正装置の使用状態を示す左側面図である。
【発明を実施するための形態】
【００１４】
図１乃至８において同一符号は、同一又は対応部分を示すものとする。図１乃至図４の姿勢矯正装置１は、いわば姿勢矯正機能付き椅子であって、突起部２と、椅子本体部３とを含む。
【００１５】
椅子本体部３は、当該技術分野において、周知の構成部分であるから、簡単に説明する。椅子本体部３は、枕状部３１と、背もたれ部３２と、座面部３３を含む。枕状部３１は、いわゆるヘッドレストであって、高さ方向ｈでみた背もたれ部３２の上部に配置されている。背もたれ部３２は、地面に平行する座面部３３に対して垂直に交わる高さ方向ｈに立ち上がっており、内部に備えられたリクライニング角度調節機構（図示省略）と、同機構の調節操作を行うための操作レバー３４を操作することにより、枕状部３１とともに高さ方向ｈに交差する前後方向ｆへ傾斜され、正面３５と座面部３３との交差角度が適宜調節される。
【００１６】
突起部２は、背もたれ部３２に配置される。図１及び図２の突起部２は、複数の突起２１、２２、２３を有している。突起２１乃至２３のそれぞれは、背もたれ部３２の正面３５から前後方向ｆに突出し、前後方向ｆに延びるにしたがって段階的に細くなる先細り構造を有している。端的に言えば、突起２１乃至２３は、断面でみて略三角形形状となっている。また、突起２１乃至２３は、設置面（又は基準面）たる正面３５において、高さ方向ｈに間隔を隔てて配置され、高さ方向ｈに交差する幅方向ｗに沿って連続して延びている。
【００１７】
突起部２は、座面部３３に着席する者（着席者４）の姿勢の変化に応じて、突起２１乃至２３の突出端が、着席者４の背面に接触する突出高さを有している。突起２１乃至２３は、例えば日本人の平均身長などから、着席者４の腰部に相当する位置に配置される。さらに、突起２１乃至２３の突出端は、人間工学的な観点からみて適切な着席姿勢、すなわち、着席者４が背筋を伸ばし、その上半身が座面部３３に対して垂直に伸びる状態で着席している姿勢では、着席者４の背面に接触しない（図３参照）。
【００１８】
さらに言えば、図３の着席者４は、高さ方向ｈに背筋を伸ばしており、座面部３３に対する着席者４の上半身の交差角度θ１は、概ね９０度前後となる。このように、着席者４の着席姿勢が適切な状態では、人体で最も重い部位である頭部や上肢は、前後方向ｆでみて頭部の直下に位置する脊椎（図示省略）、及び、脊椎の周囲の骨格筋や、例えば僧帽筋など肩及び背中周辺の筋肉（図示省略）により均等に支えられる。
【００１９】
図１乃至図４の背もたれ部３２の正面３５は、人体工学的な観点から、着席者４の背面の凹凸に追従して傾斜する湾曲面を構成している。この場合、突起２１乃至２３において、正面３５から突出端までの突出距離（突出高さ）を異ならせること、具体的には、高さ方向ｈでみて下側から上側に行くに従って、突出距離を増加させることにより、突起２１乃至２３の突出端が一点鎖線で示す線Ｌに沿って整列し、整列位置（Ｌ）と、着席者４の正しい姿勢とが平行する関係にある。
【００２０】
他方、図３に示す正しい姿勢から、図４に示すように着席者４の着席姿勢が変化（悪化）したとき、例えば、疲労から無意識、且つ、無自覚に頭部が下降して背面が丸まり、正面側の腰部（腹部）が前方に折れ曲がり、背面側の腰部が後方に突き出た姿勢（猫背姿勢）になったとき、又は、座面部３３に対する着席者４の上半身の交差角度θ２が、０度より大きく、交差角度θ１（９０度）より小さい値になったとき、突起２１乃至２３の何れかの突出端が、着席者４の背面に接触する。
【００２１】
ところで、既に説明したところではあるが、近年、ＰＣの普及と、それに伴うＰＣ作業の長時間化とにより、肩や背面などに生じる慢性的な肩こりが現代病として問題になっている。この肩こりの発症原因には諸説あるものの、一般には、椅子に腰かけるなど同じ姿勢をとり続ることにより、頭部や上肢を支える肩や背中周辺の筋肉が持続的に緊張して循環障害が起こり、その結果、蓄積した疲労物質が刺激となって発症すると考えられている。
【００２２】
これに対し、ＰＣ作業の長時間化を解消することは困難である。そこで、従来、発症した肩こりを軽減する観点から、筋肉の緊張をほぐし、循環障害を解消させるため、背もたれ部の正面に指圧突起を設けた椅子（いわば指圧機能付き椅子）が提案され、実用に供されている。
【００２３】
しかし、従来の指圧機能付き椅子は、いずれも指圧突起のマッサージ効果により発症した肩こりを軽減するものであり、肩こりの発症それ自体を防止することはできない。さらに言えば、肩こりの発症原因である循環障害は、人間工学的な観点からみた適切な姿勢、例えば背筋を伸ばした姿勢では生じにくく、猫背になるなど不適切な姿勢に移行したときに生じやすい。すなわち、図４に示すように、着席者４が猫背姿勢になったとき、頭部は、前後方向ｆでみて脊椎の前側に突き出る。違う言葉で表現すれば、猫背姿勢になったとき、脊椎は頭部の直下に位置しないこととなるから、頭部を脊椎により均等に支えることができず、その結果、僧帽筋など肩及び背中周辺の筋肉が持続的に緊張が発生し、循環障害が誘発される。このような姿勢の悪化は、長時間のＰＣ作業を続けるうちに、無意識、且つ、無自覚に生じるところ、従来の指圧機能付き椅子では、上述した姿勢の悪化を防止することはできない。
【００２４】
上述した課題を解決するため、図１乃至図４を参照して説明した姿勢矯正装置１において、突起部２は、背もたれ部３２に配置され、座面部３３に着席する着席者４の姿勢の変化（悪化）に応じて、着席者４に突起２１乃至２３の突出端が接触するから、例えば、着席者４が座面部３３に腰かけて長時間のＰＣ作業を続けるうちに、背筋を伸ばした姿勢（図３参照）から、猫背姿勢（図４参照）に移行したとき、突起部２が着席者４の背中に接触することにより、着席者４が自らの姿勢の悪化に知覚し、背筋を伸ばすなど着席姿勢をただす契機となる。
【００２５】
既に説明したように、着席者４が、人間工学的な観点からみて適切な姿勢、例えば背筋を伸ばした着席姿勢のとき、人体で最も重い部位である頭部や上肢は、均等に支えられるから、ＰＣ作業を長時間続ける場合であっても、循環障害と、循環障害に起因する肩こりは生じない。従って、肩こりの発症を防止しうる姿勢矯正装置を提供することができる。
【００２６】
図５は本発明のもう一つの実施形態に係る姿勢矯正装置１の正面図、図６は図５の姿勢矯正装置１の左側面図である。図５及び図６の姿勢矯正装置１は、突起部２が背もたれ部３２に着脱可能に配置されている点で相違する以外は、図１乃至図４の実施形態の基本的構成を全て有している。以下、相違点を中心に説明する。
【００２７】
図５及び図６の姿勢矯正装置１を構成する突起部２は、突起２１乃至２３と、基板部２４と、取付部２５とを含む。突起２１乃至２３は、基板部２４の一面に配置され、座面部３３に着席する者の姿勢の変化に応じて、突出端が、着席者（４）に接触する突出高さを有している。すなわち、図５及び図６の姿勢矯正装置１は、背もたれ部３２とは別に、突起２１乃至２３の設置面（又は基準面）となる基板部２４を含む。基板部２４は、背もたれ部３２において、例えば日本人の平均身長などから、座面部３３に着席する者の腰部に相当する位置に配置される。
【００２８】
取付部２５は、高さ方向ｈでみた基板部２４の上端縁に配置され、背もたれ部３２と枕状部３１の接続部分に着脱可能に結合されることにより、基板部２４を背もたれ部３２の正面３５に吊り下げる。
【００２９】
図５及び図６の姿勢矯正装置１は、突起部２が背もたれ部３２に着脱可能に配置されている点で相違する以外は、図１乃至図４の実施形態の基本的構成を全て有しているから、図１乃至図４を参照して説明した利点を全て奏することができる。
【００３０】
さらに、図５及び図６の姿勢矯正装置１によると、突起部２が、背もたれ部３２に着脱可能に配置されているから、背もたれ部３２に突起部２を配置した状態でＰＣ作業を行うことにより、姿勢の悪化を防止するとともに、ＰＣ作業以外の時間、例えば休憩時間中は突起部２を取り外し、背もたれ部３２に背中を押しつけて、リラックスした状態で休憩することができる。
【００３１】
また、図５及び図６の姿勢矯正装置１によると、突起部２が破損した場合などに新品と取り替えたることができる。さらに、突起部２を、突起２１乃至２３の突出高さや配置パターンが異なるものと交換するなど、変形パターンの多様性を確保することにより、姿勢の悪化の防止効果を実効的に確保し、もって肩こりの発症を防止しうる姿勢矯正装置１を提供することができる。
【００３２】
図７は本発明のもう一つの実施形態に係る姿勢矯正装置１の正面図は、図８は図７の姿勢矯正装置１の使用状態を示す左側面図である。図７及び図８の姿勢矯正装置１は、背もたれ部３２が座面部３３に対して回転可能に配置されている点で相違する以外は、図１乃至図４の実施形態の基本的構成を全て有している。以下、相違点を中心に説明する。
【００３３】
図７及び図８の姿勢矯正装置１は、軸部５を有している。軸部５は、背もたれ部３２を高さ方向ｈに沿って貫通し、一端が枕状部３１に結合され、他端が座面部３３に回動可能に結合されている。軸部５は、座面部３３の座面に対して垂直に交差する高さ方向ｈに延びており、背もたれ部３２は、軸部５を回転軸として軸回転することにより、突起部２が配置されている正面（３５）側と、突起部２の配置されていない背面側とが、交互に座面部３３側にあらわれる。
【００３４】
図７及び図８の姿勢矯正装置１は、背もたれ部３２が座面部３３に対して回転可能に配置されている点で相違する以外は、図１乃至図４の実施形態の基本的構成を全て有しているから、図１乃至図４を参照して説明した利点を全て奏することができる。
【００３５】
さらに、図７及び図８の姿勢矯正装置１によると、背もたれ部３２の正面３５を座面部３３側に配置した状態でＰＣ作業を行うことにより、姿勢の悪化を防止するとともに、ＰＣ作業以外の時間、例えば休憩時間中は背もたれ部３２の背面を座面部３３側に配置し、背もたれ部３２に背中を押しつけて、リラックスした状態で休憩することができる。
【００３６】
以上、好ましい実施例を参照して本発明の内容を具体的に説明したが、本発明の基本的技術思想及び教示に基づいて、当業者であれば、種種の変形態様を採り得ることは自明である。例えば、図１乃至図８の姿勢矯正装置１において、突起部２を構成する複数の突起（２１乃至２３）の突出高さ、配置本数、配置間隔などは必要に応じて適宜増減させることができる。例えば、複数の突起（２１乃至２３）は、マトリックス状に点在するものであってもよい。
【００３７】
また、図５乃至図６の姿勢矯正装置１から取付部２５を削除し、突起部２を背もたれ部３２の正面３５に着脱可能に埋設してもよいし、基板部２４の背面に面ファスナーなどを配して正面３５に着脱可能に配置してもよい。さらに、図７及び図８の姿勢矯正装置１において、背もたれ部３２は枕状部３１とともに軸回転してもよい。
【符号の説明】
【００３８】
１                姿勢矯正装置
２                突起部
３２              背もたれ部
３３              座面部
４                着席者
【要約】
【課題】肩こりの発症を防止しうる姿勢矯正装置を提供する。
【解決手段】突起部２と、背もたれ部３２と、座面部３３とを含む姿勢矯正装置１であって、前記突起部２は、前記背もたれ部３２に配置され、前記座面部３３に着席する者４の姿勢の変化に応じて前記着席者４に突出端が接触する姿勢矯正装置。
【選択図】図１【図１】
0005530016.tif 000002
【図２】
0005530016.tif 000003
【図３】
0005530016.tif 000004
【図４】
0005530016.tif 000005
【図５】
0005530016.tif 000006
【図６】
0005530016.tif 000007
【図７】
0005530016.tif 000008
【図８】
0005530016.tif 000009